(57)【要約】【課題】軸筒とこの軸筒に装着されるリフィールとの回転方向の位置関係を好ましい状態に設定することを可能にした筆記具を提供すること。【解決手段】ペン先部材１と、当該ペン先部材に供給するインクを収容したインクタンク２とが具備され、前記インクタンクの前端部に前記ペン先部材が一体に取り付けられて筆記体を構成してなるリフィール３と、前記ペン先部材１を前方に突出させた状態で前記リフィール３を収容し保持すると共に、外周面の把持部には利用者のいずれかの指先が当接する軸芯方向に凹んだ指先当接部５ａが形成されてなる軸筒４より構成されている。前記軸筒４の一部および前記リフィール３の一部には、前記軸筒内にリフィールを装着した場合に、前記軸筒とリフィールとの回転方向の相対関係を位置決めする係合手段１３，１６が形成されている。【選択図】図２
2012166381.tif 000002
【特許請求の範囲】
【請求項１】
筆記荷重により撓む方向が限定されたペン先部材、もしくは筆記可能な軸芯の回転方向の向きが限定されたペン先部材を備えた筆記具であって、
前記ペン先部材と、当該ペン先部材に供給するインクを収容したインクタンクとが具備され、前記インクタンクの前端部に前記ペン先部材が一体に取り付けられて筆記体を構成してなるリフィールと、前記ペン先部材を前方に突出させた状態で前記リフィールを収容し保持すると共に、外周面の把持部には利用者のいずれかの指先が当接する軸芯方向に凹んだ指先当接部が形成されてなる軸筒より構成され、
前記軸筒の一部および前記リフィールの一部には、前記軸筒内にリフィールを装着した場合に、前記軸筒とリフィールとの回転方向の相対関係を位置決めする係合手段が形成されていることを特徴とする筆記具。
【請求項２】
前記軸筒側には少なくとも１つの凹部もしくは凸部が形成され、前記リフィール側には前記軸筒側の凹部もしくは凸部に係合する少なくとも１つの凸部もしくは凹部が形成され、前記軸筒側に形成された凹部もしくは凸部および前記リフィール側に形成された凸部もしくは凹部により、前記係合手段を構成したことを特徴とする請求項１に記載された筆記具。
【請求項３】
前記軸筒側には周方向に沿って凹部および凸部が繰り返して凹凸部が円環状に形成され、前記リフィール側には前記軸筒側のいずれかの凹部に係合する少なくとも１つの凸部が形成され、前記軸筒側に円環状に形成された凹凸部および前記リフィール側に形成された少なくとも１つの凸部により、前記係合手段を構成したことを特徴とする請求項１に記載された筆記具。
【請求項４】
前記軸筒が長手方向の前後に分離可能な先軸と後軸とにより構成され、前記先軸の外周面に前記指先当接部が形成されると共に、前記先軸の先端部と前記リフィールの外周面の一部に、前記係合手段が施されていることを特徴とする請求項１ないし請求項３のいずれか１項に記載された筆記具。
【請求項５】
前記軸筒が長手方向の前後に分離可能な先軸と後軸とにより構成され、前記先軸の外周面に前記指先当接部が形成されると共に、前記先軸の後端部と前記リフィールの外周面の一部に、前記係合手段が施されていることを特徴とする請求項１ないし請求項３のいずれか１項に記載された筆記具。
【発明の詳細な説明】
【技術分野】
【０００１】
この発明は、例えば万年筆に代表されるように、筆記荷重により撓む方向が限定されたペン先部材、もしくは筆記可能な軸芯の回転方向の向きが限定されたペン先部材を備えたリフィール式の筆記具に関する。
【背景技術】
【０００２】
前記した万年筆は周知のとおり、金属素材により形成されたペン先部材が用いられているので、筆記荷重を受けてペン先部材が撓んで適度な弾力が伴われ、独自の筆感を得ることができる（特許文献１）。
また、前記ペン先部材には、その中央部にインク誘導用の隙間（スリット）が形成されているので、前記スリットが正面に位置する姿勢で筆記する必要がある。すなわち、軸筒の把持状態が若干周方向に回って前記スリット位置が正面位置からずれると、インクは紙面に乗らずに筆記不能になり、同時にペン先部材の撓みによる適度な弾力を伴う筆感を得ることもできなくなる。
【０００３】
一方、この種の筆記具においては、軸筒を把持し易くするために軸筒の外周面に利用者の特定な指先が当接する当接部（クビレ部）を形成したものも提案されている（特許文献２）。
なお、この特許文献２に開示の筆記具によると、先軸の外周面に前記クビレ部が形成されると共に、この先軸の先端部に前記したスリットが形成されたペン先部材が取り付けられた構成になされ、ペン先部材と先軸とは一体化されている。
【先行技術文献】
【特許文献】
【０００４】
【特許文献１】実開平６−１２０８１号公報
【特許文献２】特開２００７−２３７４２５号公報
【０００５】
ところで、本件出願人は前記した万年筆に用いられるものと同様の金属製のペン先部材を具備し、このペン先部材にボールを転動可能に保持してなる万年筆型のボールペンについて先に提案し、特願２０１０−１９８６９３として特許出願をしている。
これによると、ペン先部材を構成する金属板の先端部に形成されたボールハウスと、金属板の基端部に形成されたペン先ホルダーへの係合部との間の中間部が平板部、もしくは僅かに円弧を伴う平板部になされている。したがって、筆記荷重を受けてペン先部材に適度な撓みが発生し、万年筆と同様の固有の筆感を発揮させることができる。
【０００６】
本件出願人が先に特許出願した万年筆型のボールペンについては、先端部にボールを保持したペン先部材と、このペン先部材に供給するインクを収容するインクタンクとを一体に備えた構成にされている。この場合、前記ペン先部材とインクタンクとにより交換可能なリフィールを構成し、このリフィールを軸筒内に収容して保持する構成にすることが考えられる。
【０００７】
加えて、前記軸筒の外周面における把持部には、好ましくは利用者のいずれかの指先（好ましくは人差し指）が当接する軸芯方向に凹んだ当接部を形成し、軸筒を把持し易くする工夫を施すことが考えられる。
【発明の概要】
【発明が解決しようとする課題】
【０００８】
従来からの周知の万年筆、もしくは前記したように先端部にボールを転動可能に保持してなるペン先部材を用いた筆記具によると、筆記荷重によりペン先部材の撓む方向が限定され、また筆記可能な軸芯の回転方向の向きが限定されるという課題がある。
【０００９】
したがって、前記した特性を備えたペン先部材を用い、インクタンクを一体に備えてリフィールとし、これを別に成形された軸筒に装着するような形態を採用するとともに、前記軸筒の把持部に軸芯方向に凹んだ指先当接部を形成させたものを用いた場合には、軸筒とこれに装着されるペン先部材を含むリフィールとの回転方向の位置関係を好ましい状態に設定する必要が生ずる。
【００１０】
ところで、一般に前記軸筒は先軸と後軸とにより構成され、先軸と後軸は互いの外ねじおよび内ねじを利用して着脱可能になされている。したがって、ペン先部材を一体に備えたリフィールは、前記先軸を貫通してペン先部材が突出されるようにして先軸内に装着され、後軸がインクタンクをカバーするようにして先軸の後端部にねじ込まれるようになされる。
この先軸に後軸をねじ込む操作の際に、リフィールは後軸の回転動作に引きずられて回転するために、軸筒に対する前記ペン先部材の方向を定めることが困難になるという問題が生ずる。
【００１１】
この発明は、前記した構成の筆記具の問題点に着目してなされたものであり、軸筒とこれに装着されるリフィールとの回転方向の位置関係を好ましい状態に設定することを可能にし、筆記荷重によるペン先部材の撓みを効果的に利用することができ、またペン先部材の向きを筆記可能な状態に容易に調節することができる筆記具を提供することを課題とするものである。
【課題を解決するための手段】
【００１２】
前記した課題を解決するためになされたこの発明にかかる筆記具は、筆記荷重により撓む方向が限定されたペン先部材、もしくは筆記可能な軸芯の回転方向の向きが限定されたペン先部材を備えた筆記具であって、前記ペン先部材と、当該ペン先部材に供給するインクを収容したインクタンクとが具備され、前記インクタンクの前端部に前記ペン先部材が一体に取り付けられて筆記体を構成してなるリフィールと、前記ペン先部材を前方に突出させた状態で前記リフィールを収容し保持すると共に、外周面の把持部には利用者のいずれかの指先が当接する軸芯方向に凹んだ指先当接部が形成されてなる軸筒より構成され、前記軸筒の一部および前記リフィールの一部には、前記軸筒内にリフィールを装着した場合に、前記軸筒とリフィールとの回転方向の相対関係を位置決めする係合手段が形成されている点に特徴を有する。
【００１３】
この場合、前記軸筒側には少なくとも１つの凹部もしくは凸部が形成され、前記リフィール側には前記軸筒側の凹部もしくは凸部に係合する少なくとも１つの凸部もしくは凹部が形成され、前記軸筒側に形成された凹部もしくは凸部および前記リフィール側に形成された凸部もしくは凹部により、前記係合手段を構成することができる。
【００１４】
また、前記軸筒側には周方向に沿って凹部および凸部が繰り返して凹凸部が円環状に形成され、前記リフィール側には前記軸筒側のいずれかの凹部に係合する少なくとも１つの凸部が形成され、前記軸筒側に円環状に形成された凹凸部および前記リフィール側に形成された少なくとも１つの凸部により、前記係合手段を構成することもできる。
【００１５】
そして、この発明に係る筆記具の１つの好ましい形態においては、前記軸筒が長手方向の前後に分離可能な先軸と後軸とにより構成され、前記先軸の外周面に前記指先当接部が形成されると共に、前記先軸の先端部と前記リフィールの外周面の一部に、前記係合手段が施された構成が採用される。
また、この発明に係る筆記具の他の好ましい形態においては、前記軸筒が長手方向の前後に分離可能な先軸と後軸とにより構成され、前記先軸の外周面に前記指先当接部が形成されると共に、前記先軸の後端部と前記リフィールの外周面の一部に、前記係合手段が施された構成が採用される。
【発明の効果】
【００１６】
前記した構成の筆記具によると、軸筒の一部およびリフィールの一部には、前記軸筒内にリフィールを装着した場合に、前記軸筒とリフィールとの回転方向の相対関係を位置決めする係合手段が形成されているので、軸筒の把持部に形成された指先当接部の位置と、ペン先部材の向きの関係を適切な状態に設定することができる。
【００１７】
また、前記軸筒側には周方向に沿って凹部および凸部が繰り返して凹凸部が円環状に形成され、前記リフィール側には前記軸筒側のいずれかの凹部に係合する少なくとも１つの凸部を形成した係合手段を採用することで、例えば右利き（右手による筆記具の把持）および左利き（左手による筆記具の把持）に応じて、さらに利用者個人の好みに応じて軸筒に形成された指先当接部とペン先部材の向きを選択可能にすることができる。
【００１８】
これにより、筆記荷重によるペン先部材の撓みを効果的に利用することができ、またペン先部材の向きを筆記可能な状態に容易に調節することが可能な筆記具を実現させることができる。
【図面の簡単な説明】
【００１９】
【図１】この発明に係る筆記具の全体構成を示した軸方向の縦断面図である。
【図２】同じく前半部を拡大して示した軸方向の縦断面図である。
【図３】同じくペン先部材を先端部側から見たリフィール単体の正面図である。
【図４】同じくペン先部材を上から見た状態のリフィール前端部の上面図である。
【図５】図１におけるＡ−Ａ線より矢印方向に見た断面図である。
【図６】先軸にリフィールを装着する直前の状態を示した斜視図である。
【図７】先軸にリフィールを装着する直前の状態を示した上面図である。
【図８】先軸にリフィールを装着した状態を示した上面図である。
【図９】この発明に係る筆記具の他の形態を示した軸方向の縦断面図である。
【図１０】同じく前半部を拡大して示した軸方向の縦断面図である。
【図１１】同じくリフィール単体の側面図である。
【図１２】同じくペン先部材を先端部側から見たリフィール単体の正面図である。
【図１３】図９におけるＢ−Ｂ線より矢印方向に見た断面図である。
【図１４】ペン先部材の他の例を示した側面図である。
【図１５】同じくペン先部材の先端部における軸方向の縦断面図である。
【図１６】同じくペン先部材の先端部における底面図である。
【発明を実施するための形態】
【００２０】
以下、この発明にかかる筆記具について、図に示す実施の形態に基づいて説明する。図１〜図８はその第１の実施の形態を示すものであり、この発明にかかる筆記具を万年筆型ボールペンに適用した例を示している。
図１は全体構成を断面図で示したものであり、この万年筆型ボールペンは、図１に示すようにペン先部材１とインクタンク２とにより構成されたリフィール３が利用される。すなわち前記リフィール３は、インクタンク２を構成する円筒状の容器の前端部に、ペン先部材１が一体に取り付けられ、このペン先部材１に前記インクタンク２よりインクが供給されるようになされ、これにより筆記体であるリフィール３が構成されている。
【００２１】
このリフィール３は、前記ペン先部材１を前方に突出させた状態で、軸筒４内に収容され保持される。この軸筒４は、長手方向の前後に分離可能な先軸４ａと後軸４ｂとにより構成されており、先軸４ａの後端部には図示していないが外ねじが形成され、後軸４ｂの前端部には内ねじが形成されて両者の螺合により、前記リフィール３におけるインクタンク２を覆うことができるように構成されている。
【００２２】
すなわち、この実施の形態においては、前記先軸４ａの後端部側より、リフィール３のペン先部材１を挿入し、先軸４ａの前端部よりペン先部材１が突出した状態で後軸４ｂを先軸４ａの後端部にねじ込むことで、軸筒４内にリフィール３が収容される。
また、図１に示すように前記後軸４ｂの後端部は有底状になされ、ここにはコイル状のバネ部材６が配置され、このバネ部材６の前端部には受け部材７が取り付けられている。
【００２３】
したがって、後軸４ｂを先軸４ａの後端部にねじ込むことで、リフィール３は受け部材７を介して前記バネ部材６により軸筒４の前方に押し出される付勢力を受け、先軸４ａの縮径部にインクタンク２の前端部が当接することで、リフィール３は安定した状態で軸筒４内に収容される。なお、前記先軸４ａの周囲には、グリップ部材５が捲装状態で取り付けられている。
【００２４】
図２に示すように、インクタンク２の前端部にはペン先ホルダー１０が嵌合されて取り付けられている。このペン先ホルダー１０の前端部には、傾斜面１０ａが形成されており、この傾斜面１０ａが形成された部分の反対面（背面側）には、金属板により形成された前記ペン先部材１がペン先ホルダー１０に沿うようにして取り付けられている。
【００２５】
前記ペン先部材１は、例えばステンレス素材による金属板を所定の形状に打ち抜いたものが用いられている。このペン先部材１には、金属板の先端部を軸線を中心として円筒体状に丸め加工することで、円筒体状のボールハウス１ａが形成されている。このボールハウス１ａの一部にポンチ打ちや、かしめ加工を施すことにより、ボールハウス１ａ内にボール１１が回転可能に収容され、かつボール１１の一部がボールハウス１ａの先端部より突出した状態で保持されている。
【００２６】
一方、前記ペン先部材１を構成する前記金属板の基端部は、図２および図３に示したように、軸方向に直交する断面形状が多角形状に加工されることで、前記ペン先ホルダー１０に対する係合部１ｂが形成されている。すなわち、この実施の形態においては図３に示されたように、係合部１ｂは、互いに内向きとなるように水平方向に折り曲げられて構成されている。
【００２７】
したがって、前記ペン先部材１をペン先ホルダー１０の背面側に添わせつつ、ペン先部材１の基端部を前記インクタンク２側に押し込むことで、ペン先部材１に形成された一対の係合部１ｂは、ペン先ホルダー１０の一部に係合し、ペン先部材１の弾性復元力により、ペン先部材１はペン先ホルダー１０に取り付けられる。
【００２８】
また、前記ペン先部材１は、前記ボールハウス１ａとペン先ホルダーへの係合部１ｂとの間の中間部が平板部１ｃになされている。この平板部１ｃの存在により、筆記荷重を受けた場合、ペン先部材１に効果的に撓みを与えるように作用する。
すなわち、筆記荷重を受けてペン先部材１の平板部１ｃが撓み、万年筆の持つ固有の弾力性を十分に発揮させることができる万年筆型ボールペンを提供することができる。
【００２９】
なお、前記したペン先部材１は、平板部１ｃの面方向に筆記荷重が加わることで前記撓みが生ずるものであり、軸筒の把持状態が周方向に回った場合には前記撓み作用は殆ど発生しない。したがって、この実施の形態は筆記荷重により撓む方向が限定されたペン先部材を備えた筆記具であるということができる。
【００３０】
図２に一部が示されているように、前記インクタンク２からペン先部材１のボールハウス１ａに至るようにインク誘導芯１２が装着されている。このインク誘導芯１２は、図には現れていないが、インクタンク２内から前記ペン先部材１とペン先ホルダー１０との間を通り、その先端部が前記ボールハウス１ａに至るように配置されており、これによりインクタンク２内のインクをペン先部材１のボール１１に供給するように作用する。
このインク誘導芯１２は、例えば繊維素材を結束してなる繊維束により構成されており、インクタンク２内のインクを毛細管作用を利用してボールハウス１ａ内の前記ボール１１に供給するようになされる。
【００３１】
図２〜図４に示されているとおり、前記リフィール３を構成するインクタンク２の前端部における周側面寄りには、前方に向かって突出するように楔形の１つの凸部１３（以下、突起１３ともいう。）が形成されている。この実施の形態においては、前記突起１３は前記ペン先部材１を上面から見たとき、同様に上面に位置するように形成されている。この突起１３は、後述するリフィール側の係合手段を構成するものである。
なお、図３に示す符号１５は前記インクタンク２への大気導入口を示しており、この大気導入口１５を介して僅かな大気がインクタンク２内に導入されることで、インクが前記インク誘導芯１２を介して円滑に導出されるようになされる。
【００３２】
一方、図２、図５および図６に示すように、前記先軸４ａにおける先端部寄りの内周面には、周方向に沿って凹部と凸部が繰り返して円環状になされた凹凸部１６が形成されている。これは、後述する軸筒側の係合手段を構成するものである。
また、図５および図６に示すように、先軸４ａの外周面に捲装されて把持部を構成するグリップ部材５には、利用者の例えば人差し指の指先が当接する軸芯方向に凹んだ指先当接部５ａが形成されている。したがって、利用者の例えば人差し指の指先を前記指先当接部５ａに当てて軸筒４を把持することで、軸筒が把持し易く、筆記具の把持状態が安定する。
【００３３】
ここで、前記軸筒４に前記リフィール３を装着するに際しては、図６および図７に示すように、先ず先軸４ａの後端部側より、リフィール３のペン先部材１を挿入し、図８に示すように前記ペン先部材１を先軸４ａの前端部より突出させる。
この時、図６に示されているように、前記リフィール３側に形成された係合手段を構成する前記突起１３が軸筒４側の係合手段を構成する円環状になされた凹凸部１６のいずれかの凹部に入り込むように設定される。
【００３４】
これにより、先軸４ａ側に形成された前記指先当接部５ａに利用者の人差し指の指先が当接するように筆記具を把持したとき、ペン先部材１が上面を向くように、すなわち筆記時の通常の把持状態において筆記荷重を受けた場合に、ペン先部材１に効果的に撓み作用が生ずるように設定される。
したがって、例えば右利きおよび左利きに応じて、また利用者個人の好みに応じて、ペン先部材１を正面にした場合における先軸４ａ側に形成された前記指先当接部５ａの位置を選択できることになる。
【００３５】
なお、図８はペン先部材１を正面にしたとき、指先当接部５ａが若干右寄りに位置するように設定した例を示しており、これは右利きの利用者に向けた設定状態を示している。
続いてすでに説明したとおり、先軸４ａの後端部に後軸４ｂをねじ込むことで、図１に示したようにリフィール３はバネ部材６により軸筒４の前方に押し出される付勢力を受け、リフィール３は安定した状態で軸筒４に収容される。
【００３６】
この場合、リフィール３側に形成された前記突起１３と、先筒４ａ側の円環状になされた凹凸部１６との係合作用により、後軸４ｂのねじ込み動作によりリフィール３が回動することはなく、先軸４ａ側に形成された指先当接部５ａと、リフィール３側のペン先部材１の向きは前記した設定状態のまま保持される。
【００３７】
次に図９〜図１３は、この発明に係る筆記具の第２の実施の形態を示したものであり、これはすでに説明した第１の実施の形態に比較して、フィールと軸筒との回転方向の相対関係を位置決めする係合手段の配置位置が異なる。
すなわち、この第２の実施の形態においては、先軸の後端部とリフィールの外周面の一部に、前記係合手段が施されている。
なお、図９〜図１３においては、すでに説明した図１〜図８に示す各部と同一の機能を果たす部分を同一符号で示しており、したがってその詳細な説明は省略する。
【００３８】
図１０〜図１２に示すとおり、この実施の形態においては、リフィール３を構成するインクタンク２の長手方向のほぼ中央部に、１つの凸部（突起）２１が周方向に突出するようにして形成されており、これがリフィール３側の係合手段を構成している。
一方、図１０および図１３に示されているとおり、先軸４ａの後端部には、軸方向に切り欠くようにして２つの凹部２２ａ，２２ｂが周方向の異なる位置に形成されており、これが軸筒４側の係合手段を構成している。
【００３９】
この実施の形態によると、図１０に示すように先軸４ａの後端部側より、リフィール３のペン先部材１を挿入し、前記ペン先部材１を先軸４ａの前端部から突出させた状態にすることで、前記リフィール３側に形成された前記突起２１が先軸４の後端部に形成された２つの凹部２２ａ，２２ｂのいずれかに嵌まり込むように作用する。
【００４０】
図１３は、前記先軸４ａの一方の凹部（第１凹部）２２ａにリフィール３側の前記突起２１が係合した状態を示しており、この場合においては、先軸４ａ側に形成された前記指先当接部５ａに、右利きの利用者の人差し指を当接させて筆記具を把持したとき、ペン先部材１の平板部１ｃが上面を向くように設定される。
一方、先軸４の他方の凹部（第２凹部）２２ｂにリフィール３側の前記突起２１を係合させた場合には、左利きの利用者に対応して設定されることになる。
【００４１】
以上説明した第１と第２の実施の形態は、いずれも筆記荷重を受けて撓む方向が限定されたペン先部材を備えた筆記具の例を示している。
図１４〜図１６は、他のペン先部材の例を示すものであり、このペン先部材１においても金属板の先端部を円筒体状に丸め加工してボールハウス１ａを形成している。しかしボール１１の一部が、軸に直交する方向にボールハウス１ａより突出し、ボール１１は下向きの状態でボールハウス１ａに保持された構成にされている。
【００４２】
この構成によるペン先部材１を用いた場合には、筆記荷重を受けてペン先部材の撓む方向が限定されると共に、筆記可能な軸芯の回転方向の向きも限定されるものとなる。
この発明に係る筆記具によると、図１４〜図１６に示したようなペン先部材１を用いたリフィール３を利用し、これを軸筒４に装着する場合においても、指先当接部５ａに例えば人差し指を当接させて筆記具を把持したとき、前記ボール１１を下向きの状態に設定するように容易に調整することができる。
【００４３】
以上の説明で明らかなように、この発明に係る筆記具によると、ペン先部材を備えたリフィール側と、これが装着される軸筒側に、両者の回転方向の関係を位置決めする係合手段が形成されているので、軸筒の把持部に形成された指先当接部の位置と、ペン先部材の向きの関係を適切な状態に設定することができるなど、前記した発明の効果の欄に記載したとおりの作用効果を得ることができる。
【００４４】
なお、以上説明した図１〜図８に示す第１の実施の形態においては、軸筒側に内周方向に沿って凹部および凸部を繰り返す凹凸部１６が円環状に形成され、リフィール側に前記軸筒側のいずれかの凹部に係合する１つの凸部１３（突起１３）を備えて両者の係合手段を構成しているが、前記円環状の凹凸部１６をリフィール側に形成し、軸筒側にはリフィール側のいずれかの凹部に係合する１つの凸部１３を備えて両者の係合手段を構成しても同様の作用効果を期待することができる。
【００４５】
また、図９〜図１３に示す第２の実施の形態においては、軸筒側に第１凹部２２ａおよび第２凹部２２ｂが形成され、リフィール側に前記第１凹部２２ａまたは第２凹部２２ｂに選択的に係合する１つの凸部２１（突起２１）を備えて両者の係合手段を構成しているが、これについても前記第１凹部２２ａおよび第２凹部２２ｂをリフィール側に形成し、軸筒側には前記リフィール側の第１凹部２２ａまたは第２凹部２２ｂに選択的に係合する１つの凸部２１を備えて両者の係合手段を構成しても同様の作用効果を期待することができる。
【００４６】
要するに、前記軸筒側には少なくとも１つの凹部もしくは凸部を形成し、前記リフィール側に前記軸筒側の凹部もしくは凸部に係合する少なくとも１つの凸部もしくは凹部を形成した構成を採用することで、前記係合手段の機能を発揮させることができる。
【符号の説明】
【００４７】
１      ペン先部材
１ａ    ボールハウス
１ｂ    係合部
１ｃ    平板部
２      インクタンク
３      リフィール
４      軸筒
４ａ    先軸
４ｂ    後軸
５      グリップ部材
５ａ    指先当接部
１０    ペン先ホルダー
１１    ボール
１２    インク誘導芯
１３    凸部（突起）
１６    凹凸部
２１    凸部（突起）
２２ａ  第１凹部
２２ｂ  第２凹部
【図１】
2012166381.tif 000003
【図２】
2012166381.tif 000004
【図３】
2012166381.tif 000005
【図４】
2012166381.tif 000006
【図５】
2012166381.tif 000007
【図６】
2012166381.tif 000008
【図７】
2012166381.tif 000009
【図８】
2012166381.tif 000010
【図９】
2012166381.tif 000011
【図１０】
2012166381.tif 000012
【図１１】
2012166381.tif 000013
【図１２】
2012166381.tif 000014
【図１３】
2012166381.tif 000015
【図１４】
2012166381.tif 000016
【図１５】
2012166381.tif 000017
【図１６】
2012166381.tif 000018